(57)【要約】  【課題】着物の製作における裁断や縫製の製作時間の削減および容易性の向上。  【解決手段】一枚の布地Ａに、すくなくとも着物の上半身部を構成する各部位を一体にして展開した形状に相当する形状の上半身地部１と、下半身部を構成する各部位を一体にして展開した形状に相当する形状の下半身地部２とを型起しし、これら上半身地部１と下半身地部２とを裁断し縫製する。また、着物の全域を一体として展開した着物地部４を型起ししてもよい。  【選択図】図１
2005240209.tif 000002
【特許請求の範囲】
【請求項１】
一枚の布地に、すくなくとも、着物の上半身部を構成する各部位を一体にして展開した形状に相当する形状の上半身地部と、下半身部を構成する各部位を一体にして展開した形状に相当する形状の下半身地部とを型起しし、これら上半身地部と下半身地部とを裁断し縫製して着物を製作する製作方法。
【請求項２】
一枚の布地に、すくなくとも、着物を構成する各部位を一体にして展開した形状に相当する形状の着物地部を、その身丈方向を経方向に沿わせて型起しし、この着物地部を裁断し縫製して着物を製作する製作方法。
【請求項３】
一枚の布地に二着以上の着物を製作できるように型起しする請求項１または請求項２に記載の着物の製作方法。
【請求項４】
前記上半身地部および下半身地部の型起し方向が、布地に対して経取りまたは緯取りである請求項１または請求項３に記載の着物の製作方法。
【請求項５】
前記布地が、着物のサイズに応じた大きさである請求項１ないし請求項４いずれか１項にに記載の着物の製作方法。
【請求項６】
経取りで型起しされる布地の緯方向幅が、１３９ｃｍ以上である請求項５に記載の着物の製作方法。
【請求項７】
緯取りで型起しされる布地の経方向幅が１２０ｃｍ以上である請求項５に記載の着物の製作方法。
【発明の詳細な説明】
【技術分野】
【０００１】
本発明は、着物の製作方法に関し、詳しくは、縫製が容易な着物の製作方法に関する。
【背景技術】
【０００２】
従来、着物を製作する際には、布地に着物の各部ごとに型起しし、これら各部ごとに裁断し縫製している。（たとえば、特許文献１）
【特許文献１】特開平１１−２９３５０４号（〔０００９〕、〔図１〕〜〔図４〕の範囲）
【発明の開示】
【発明が解決しようとする課題】
【０００３】
しかしながら、従来の着物の製作方法は、着物の各部ごとに裁断し縫製するものであるため、裁断や縫製に相当の時間を要するものであり、この製作時間が製作コスト高の一因となっていた。
また、柄物の着物を製作する場合、各部の縫製部分での柄合わせが難しく、あらかじめ柄合わせを想定した上での型起しが必要であるため、柄合わせおよびこれを想定する型起しに要する技術および時間も製作コストに大きく反映されるものであった。
【０００４】
そこで、本発明は、着物の製作における裁断や縫製の製作時間の削減および容易性の向上の実現を課題とし、この課題を解決する着物の製作方法の提供を目的とする。
【課題を解決するための手段】
【０００５】
本発明は、前記目的を達成するために、下記の技術的手段を採用した。
その技術的手段は、一枚の布地に、すくなくとも、着物の上半身部を構成する各部位を一体にして展開した形状に相当する形状の上半身地部と、下半身部を構成する各部位を一体にして展開した形状に相当する形状の下半身地部とを型起しし、これら上半身地部と下半身地部とを裁断し縫製して着物を製作する方法である（請求項１）。
さらに、一枚の布地に、すくなくとも、着物を構成する各部位を一体にして展開した形状に相当する形状の着物地部を、その身丈方向を経方向に沿わせて型起しし、この着物地部を裁断し縫製して着物を製作する方法である（請求項２）。
【０００６】
前記上半身部を構成する各部位とは、袖部、襟ぐり部、前身ごろ部、後身ごろ部、衽部等である。
前記下半身部を構成する各部位とは、襟ぐり部、前身ごろ部、後身ごろ部、衽部等である。
本発明でいう上半身部および下半身部の境は、任意であるが、たとえば、着物における打揚部分に相当する部位を境に上側を上半身部とし、下側を下半身部とすることが例示できる。
また、前記着物を構成する各部位とは、袖部、襟ぐり部、前身ごろ部、後身ごろ部、衽部等である。
【０００７】
本発明は、一着の着物の製作に限定するものでは無く、一枚の布地に二着以上の着物を製作できるように型起しする（請求項３）ようにしてもよい。
また、前記上半身地部および下半身地部の型起し方向は、布地に対して経取りまたは緯取り（請求項４）のいずれでもよい。
本発明でいう経取りとは、着物の身丈方向が布地における経糸に沿う方向に型起しすることであり、緯取りとは、着物の身丈方向が布地における緯糸に沿う方向に型起しすることである。
【０００８】
また、布地を無駄なく使うという観点から、布地を着物のサイズに応じた大きさとする（請求項５）ことが好ましい。
具体的には、一般成人用の着物を製作するには、経取りで型起しされる布地の経方向幅を１３９ｃｍ以上とし（請求項６）、緯取りで型起しされる布地の経方向幅を１２０ｃｍ以上とする（請求項７）。
【０００９】
前記請求項５〜請求項７でいう布地の大きさは、すくなくとも、上半身部と下半身部または着物全体を構成可能なものであり、この上半身部と下半身部および着物全体以外の着物に関する他部材を同布地に型起しする場合には、たとえば、布地のロス部分を利用したり、前記他部材を型起し可能な大きさの布地を用いる。
【発明の効果】
【００１０】
請求項１の発明によれば、一枚の布地に、着物の上半身部の各部位と下半身部の各部位をそれぞれ一体として上半身地部と下半身地部とに型起ししているので、型起しに沿って裁断すれば、上半身部および下半身部共に、着物を構成する各部位が一体となった状態で裁断される。
そして、裁断された上半身地部の必要部位を縫製すれば、着物における上半身部が製作できる。
さらに、前記縫製した上半身部と裁断された下半身地部を縫製することによって着物を製作することができる。
したがって、従来のように着物を構成する各部位を個別に裁断して縫製する方法に比べて、  裁断数および縫製数が大幅に削減されるので、極めて短時間、かつ簡単に着物を製作することができる。
【００１１】
さらに、請求項２の発明によれば、一枚の布地に、着物の各部位を一体として着物地部を型起ししているので、型起しに沿って裁断すれば、着物を構成する各部位が一体となった状態で裁断される。
そして、裁断された着物地部の必要部位を縫製すれば、着物の全体が製作できる。
したがって、従来のように着物を構成する各部位を個別に裁断して縫製する方法に比べて、  裁断数および縫製数が大幅に削減されるので、極めて短時間、かつ簡単に着物を製作することができる。
【００１２】
また、請求項１および請求項２の発明共に、通常必要とする縫い代が大幅に削減されるので、布地の無駄を省ける上に、着物の軽量化にも大きく貢献する。
さらに、縫いが少ないためにリバーシブルの着物とすることが可能であり、従来のように応力集中による縫い部分の裂けの発生を防止し、従来の着物において裂け防止に必要であった力布を縫着する作業を必要としないので、さらなる、製作コストの低減の実現および着物の軽量化という点で有効である。
しかも、縫い目が請求項１の場合では、実質的に袖の一部（袖口の下側から振りまで）と上半身部と下半身部のつなぎ目であり、請求項２の場合では、請求項１と同様の袖の一部のみであるので、柄合わせが容易であるし、デザイン的にも着易さという点でも極めて良好である。
特に、袖と身ごろとに縫い目が無いため、当該部分に現れるドレープが極めて美しいものであるし、最も動く部位である袖の動きが阻害されず、動き易さおよび着易さという点でも良好である。
その上、前幅や後幅が無用であるため、サイズ対応の自由度が極めて広く、フリーサイズへの対応も可能である。
【００１３】
また、請求項３の発明によれば、一枚の布地で複数の着物を製作できるので、着物の製作効率の向上という点で有効である。
また、請求項４の発明によれば、たとえば、布地の柄や風合いあるいは大きさに応じて型起し方向を経取りまたは緯取りのいずれかを選択することができる。
また、請求項５ないし請求項７の発明によれば、布地の無駄を省けるので、材料コストの削減という点で極めて有効である。
【発明を実施するための最良の形態】
【００１４】
以下、本発明の第１の実施の形態を図面に基づいて説明する。
図１ないし図４は、着物の上半身地部１と下半身地部２および襟地部３を一枚に織り込んでなる布地ＡないしＤを示す（実際には型図を示す）。
図１は、着物一着用で、上半身地部１と下半身地部２の身丈方向を経方向に沿わせて型起しされた布地Ａ、図２は、着物二着用で、上半身地部１と下半身地部２の身丈方向を経方向に沿わせて型起しされた布地Ｂ、図３は、着物一着用で、上半身地部１と下半身地部２の身丈方向を緯方向に沿わせて型起しされた布地Ｃ、図４は、着物二着用で、上半身地部１と下半身地部２の身丈方向を緯方向に沿わせて型起しされた布地Ｄである。
なお、本実施例の布地は、図面上、長手方向が経方向であり、短手方向が緯方向である
【００１５】
上半身地部１は、打揚部分から上方の、袖部１１、襟が縫製される襟ぐり部１２、前身ごろ部１３、後身ごろ部１４、衽部１５の各部位が一体となり、かつ、肩山部１６（仮想線で示す）に相当する部位を境に展開した形状に相当する形状に型起しされている。
下半身地部２は、打揚部分から下方の、前記襟ぐり部１２に連続する襟ぐり部２１、前身ごろ部２２、後身ごろ部２３、衽部２４等の各部位が一体となり、かつ前身ごろ部２２と後身ごろ部２３の境目に相当する境部２５（仮想線で示す）を境に展開した形状に相当する形状に型起しされている。
襟地部３は、前記襟ぐり部１２，２１の全周長に対応する長さに相当する長さ、かつ襟を折り目部３１（仮想線で示す）を境に展開した形状に相当する形状に型起しされている。
なお、布地Ｂないし布地Ｄの各部の符号については布地Ａの各部の符号と同様であるのでこれを省略し、上半身地部１と下半身地部２および襟地部３のみを付す。
【００１６】
図１および図２に示す経取りの布地Ａ，Ｂの緯幅は、襟地部３の緯幅に１３９ｃｍ、１４２ｃｍ、１４５ｃｍとする緯幅を加えたものであり、経方向の長さは、着物の数によって任意に設定される。
例示した襟地部３を緯幅を除いた数値は、一般成人サイズの一例を示し、１３９ｃｍはＳサイズ、１４２ｃｍはＭサイズ、１４５ｃｍはＬサイズである。
【００１７】
図３および図４に示す緯取りの布地Ｃ，Ｄの緯幅は、襟地部３の緯幅に１２０ｃｍ、１２４ｃｍ、１２８ｃｍとする緯幅を加えたものであり、経方向の長さは、着物の数によって任意に設定される。
例示した襟地部３を緯幅を除いた数値は、一般成人サイズの一例を示し、１２０ｃｍはＳサイズ、１２４ｃｍはＭサイズ、１２８ｃｍはＬサイズである。
【００１８】
このようにした布地Ａ〜Ｄを用いた着物の製作方法の一例としては、型起しした上半身地部１、下半身地部２、襟地部３の形状に沿って裁断し、それぞれ、裁断された各部位を縫製して着物を製作する。
前記した方法で着物を製作することによれば、簡単、かつ迅速に着物を製作することができる。  
【００１９】
次に、本発明に係る他の実施の形態を図５に基づいて説明する。
図５は、着物の全域とする着物地部４と襟地部３を一枚に織り込んでなる布地Ｅを示す。ＡないしＤを示す（実際には型図を示す）。
なお、本実施例の布地は、図面上、長手方向が経方向であり、短手方向が緯方向である
【００２０】
着物地部４は、袖部４１、襟が縫製される襟ぐり部４２、前身ごろ部４３、後身ごろ部４４、衽部４５の各部位が一体となり、かつ、肩山部４６（仮想線で示す）および前身ごろ部４３と後身ごろ部４４の境目に相当する境部４７（仮想線で示す）を境に展開した形状に相当する形状に型起しされている。
また、着物地部４は、身丈方向を布地の経方向に沿わせた経取りとして型起しされている。
【００２１】
なお、襟地部３は、前記した実施例と動揺であるので説明は省略する。
また、布地Ｅの緯幅は、前記した実施例と同様であるので説明は省略する。
【００２２】
このようにした布地Ｅを用いた着物の製作方法の一例としては、型起しした着物地部４のの形状に沿って裁断し、それぞれ、裁断された各部位を縫製して着物を製作する。
前記した方法で着物を製作することによれば、簡単、かつ迅速に着物を製作することができる。
【００２３】
なお、前記いずれの実施の形態では、上半身地部と下半身地部および着物地部に加えて襟地部を型起しする布地を例示したが、本発明では、これに限定するものでは無く、襟地部を襟地部用の布地に型起ししてもよいし、例示した布地のロス部分を利用してもよい。
また、ロス部分を着物用小物地に利用することができる。
また、第１の実施の形態では、布地に上半身地部および下半身地部を同方向に型起しする構成を例示したが、本発明では、これに限定するものでは無く、上半身地部および下半身地部のいずれか一方を経取りとし、他方を緯取りとしてもよい。
また、本実施の形態で例示したサイズは、本発明を実施するための一例であり、このサイズ以外の数値のもので実施することも可能である。
【図面の簡単な説明】
【００２４】
【図１】本発明に係る着物の製作方法に用いられる布地の一例を示し、型起し方向が経取りで、かつ着物一着分の布地である。（上半身地部と下半身地部を型起しした形態）
【図２】本発明に係る着物の製作方法に用いられる布地の一例を示し、型起し方向が経取りで、かつ着物二着分の布地である。（上半身地部と下半身地部を型起しした形態）
【図３】本発明に係る着物の製作方法に用いられる布地の一例を示し、型起し方向が緯取りで、かつ着物一着分の布地である。（上半身地部と下半身地部を型起しした形態）
【図４】本発明に係る着物の製作方法に用いられる布地の一例を示し、型起し方向が緯取りで、かつ着物二着分の布地である。（上半身地部と下半身地部を型起しした形態）
【図５】本発明に係る着物の製作方法に用いられる布地の一例を示し、型起し方向が経取りで、かつ着物一着分の布地である。（着物一着分の着物地部を型起しした形態）
【符号の説明】
【００２５】
Ａ〜Ｅ：布地
１：上半身地部
１１：袖部
１２：襟ぐり部
１３：前身ごろ部
１４後身ごろ部
１５：衽部
１６：肩山部
２：下半身地部
２１：襟ぐり部
２２：前身ごろ部
２３：後身ごろ部
２４：衽部
２５：境部
４：着物地部
４１：袖部
４２：襟ぐり部
４３：前身ごろ部
４４：後身ごろ部
４５：衽部
４６：肩山部
４７：境部
【図１】
2005240209.tif 000003
【図２】
2005240209.tif 000004
【図３】
2005240209.tif 000005
【図４】
2005240209.tif 000006
【図５】
2005240209.tif 000007